(57)【要約】【課題】エンジンの気化器について、ベンチュリ径の確保による高出力化と暖機再始動性との両立を図る。【解決手段】燃料供給通路としての燃料配管６を介して燃料タンクから圧送された燃料を定燃料室１１に導入し、定燃料室１１内に垂設された柱状体１２のメインウェルから吸気通路４まで延設されたメインノズル１４で燃料を吸気通路４に送出する気化器１Ａにおいて、燃料配管６が定燃料室１１の上流側で分岐してなり始動用の追加燃料をエンジンに供給するための始動用燃料通路１５Ａを備えており、始動用燃料通路１５Ａの途中には通常は閉弁しエンジン始動時に開弁する遮断弁１６Ａが配設され、始動用燃料通路１５Ａを介して追加燃料を吸気通路４まで圧送することにより、エンジン始動時に不足する燃料分を補う。【選択図】図１
2010043623.tif 000002
【特許請求の範囲】
【請求項１】
燃料供給通路を介して燃料タンクから圧送された燃料を定燃料室に導入し、前記定燃料室内に垂設された柱状体のメインウェルから吸気通路まで延設されたメインノズルで燃料を前記吸気通路に送出する気化器において、前記燃料供給通路が前記定燃料室の上流側で分岐して始動用の追加燃料をエンジンに供給するための始動用燃料通路を備えており、前記始動用燃料通路の途中に通常は閉弁しエンジン始動時に開弁する遮断弁が配設され、前記始動用燃料通路を介して前記追加燃料を前記吸気通路まで圧送することにより、エンジン始動時に不足する燃料分を補うことを特徴とする気化器。
【請求項２】
前記始動用燃料通路は、先端が前記吸気通路内で開口しており、エンジン始動時に前記追加燃料を前記吸気通路内に直接噴射することを特徴とする請求項１に記載した気化器。
【請求項３】
前記始動用燃料通路は、先端がメインジェットの上流側に開口しており、前記追加燃料の圧力で前記メインノズル中の燃料を押し出しながら前記吸気通路内に燃料を噴出させることを特徴とする請求項１に記載した気化器。
【請求項４】
前記遮断弁は、エンジンのクランキング動作に連動して開弁するソレノイドバルブであることを特徴とする請求項１，２または３に記載した気化器。
【発明の詳細な説明】
【技術分野】
【０００１】
本発明は、エンジンに燃料を供給する気化器に関し、殊に、エンジンの始動性を良好にする始動補助機能を有した気化器に関する。
【背景技術】
【０００２】
汎用エンジン等の燃料供給手段の一部として使用される気化器は、図５、図６の縦断面図に示すように、吸気通路４が貫通する本体ボディ２の下面側に定燃料室１１を構成するフロートチャンバ１０が設けられ、その定燃料室１１の中央で垂設された柱状体１２のメインウェル１３内に挿設されたメインノズル１４が先端側を吸気通路４で開口しており、吸気通路４内の空気流で生じた吸引力により吸い出されて燃料がエンジンに供給される。
【０００３】
また、気化器１Ｃは、図示しない燃料タンクから延設された燃料配管６が接続され燃料供給通路が定燃料室１１まで繋がった状態でエンジンシステムに配置され、この燃料配管６の途中に燃料ポンプ３が配設されているのが通常であり、燃料を気化器１Ｃの定燃料室１１に向かって圧送するようになっている。
【０００４】
このような構成の気化器１Ｃを使用するエンジンシステムにおいては、冷機時にチョークバルブを閉じた状態にして始動を行うのが一般的である。また、例えば特開平５−５２４２２号公報に記載されている気化器のように、電源回路からの通電によりアクチュエータでチョークバルブを全閉位置に保持することにより、自動的に低温時のエンジン始動を補助するものが知られている。
【０００５】
これに対し、充分に暖機した後のエンジン再始動（暖機再始動）では、ノーチョーク・スロットル全開の状態で始動を行うことが多い。ところが、汎用エンジン等に使用する気化器においては、エンジンの出力を状況に応じてアップさせる目的でベンチュリ径の拡大を行う場合があり、エンジンの出力確保のためにベンチュリ径を大きくした場合は暖機再始動性が悪化しやすくなるという問題がある。
【０００６】
これは、ベンチュリ径を大きくすると、クランキング時のベンチュリ負圧が低下（０方向）するため、気化器のメインノズルから始動に必要な燃料が吸い出されにくくなることによる。従って、エンジン出力と暖機再始動性とは相反する関係にあると言え、気化器を備えたエンジンシステムにおいては、エンジンの高出力化と暖機再始動性とは両立が困難なものとなっている。
【特許文献１】特開平５−５２４２２号公報
【発明の開示】
【発明が解決しようとする課題】
【０００７】
本発明は、上記のような問題点を解決しようとするものであり、エンジンの気化器について、ベンチュリ径の確保による高出力化と暖機再始動性とを両立できるようにすることを課題とする。
【課題を解決するための手段】
【０００８】
そこで、本発明は、燃料供給通路を介して燃料タンクから圧送された燃料を定燃料室に導入し、前記定燃料室内に垂設された柱状体のメインウェルから吸気通路まで延設されたメインノズルで燃料を前記吸気通路に送出する気化器において、前記燃料供給通路が前記定燃料室の上流側で分岐して始動用の追加燃料をエンジンに供給するための始動用燃料通路を備えており、前記始動用燃料通路の途中に通常は閉弁しエンジン始動時に開弁する遮断弁が配設され、前記始動用燃料通路を介して前記追加燃料を前記吸気通路まで圧送することにより、エンジン始動時に不足する燃料分を補うこととした。
【０００９】
従来の気化器においては、吸気通路への燃料送出エネルギーを、主として吸気通路内で発生する吸引力に依存していることから、エンジンの出力アップを目的としてベンチュリ径を拡大した場合には燃料吸引力が弱くなるため、ノーチョーク・スロットル全開始動による暖機再始動性の悪化に繋がっていたのに対し、燃料タンク側からの圧送力が作用している燃料供給通路を分岐して吸気通路に始動用の追加燃料を能動的に供給するものとした本発明によると、ベンチュリ径を拡大しても始動時に必要とされる燃料の供給を確保しやすいものとなる。
【００１０】
また、この場合、その始動用燃料通路は、先端が吸気通路内で開口しており、エンジン始動時に追加燃料を吸気通路内に直接噴射することを特徴としたものとすれば、始動時用の追加燃料の供給が確実且つ充分なものとすることができる。
【００１１】
或いは、その始動用燃料通路は、先端がメインジェットの上流側に開口しており、追加燃料の圧力でメインノズル中の燃料を押し出しながら吸気通内に燃料を噴出させることを特徴としたものとすれば、簡易な構成でエンジン始動時に必要とされる燃料を容易に供給することができる。
【００１２】
さらにまた、上述した気化器において、その遮断弁はエンジンのクランキング動作に連動して開弁するソレノイドバルブである、ことを特徴としたものとすれば、遮断弁の開閉操作が適時且つ確実に行われやすい。
【発明の効果】
【００１３】
燃料タンクから延設された燃料供給通路を分岐して始動用の追加燃料をエンジンに供給するものとした本発明によると、ベンチュリ径の確保による高出力化と暖機再始動性とを両立することができる。
【発明を実施するための最良の形態】
【００１４】
以下に、図面を参照しながら本発明を実施するための最良の形態を説明する。
【００１５】
図１は本発明における第１の形態である気化器１Ａの縦断面図、及び燃料供給系統の簡略化した配置を示しており、気化器１Ａには、図示しない燃料タンクから延設された燃料供給通路を構成する燃料配管６が接続されており、この燃料配管６の途中には、燃料ポンプ３が配設されて燃料を気化器１Ａに向かって圧送するようになっている。
【００１６】
また、気化器１Ａの基本的な構成は、図５，図６に示した従来の気化器１Ｃと同様である。即ち、吸気通路４が横向きに貫通した本体ボディ２の下面側には定燃料室１１を構成するフロートチャンバ１０が設けられ、その定燃料室内１１内に垂設した柱状体１２の内部にはメインノズル１４が挿設された図示しないメインウェルが設けられており、そのメインノズル１４の先端側が吸気通路４のベンチュリ部４０に突出した状態で開口している。
【００１７】
そして、本実施の形態の気化器１Ａにおいては、気化器１Ａの左側面図である図２に示すように、燃料供給通路が定燃料室１１の上流側である燃料配管６の末端近くで分岐してなり、始動用の追加燃料をエンジンに供給するための始動用燃料通路１５Ａが設けられている。
【００１８】
この始動用燃料通路１５Ａの先端は、吸気通路４（図のように吸気通路が複数の場合はさらに分岐して）で直接開口しており、且つ、始動用燃料通路１５Ａの途中にはソレノイド等からなる遮断弁１６Ａが設けられており、これがエンジンキー５０のスタート操作時（クランキング時）にのみ開弁する。
【００１９】
この遮断弁１６Ａは、通常は閉弁しており、エンジンの始動動作に連動して電気的に開弁するようになっており、エンジン始動時（クランキング時）に始動用燃料通路１５Ａを開放して始動用の追加燃料を吸気通路４内に直接噴射させるようになっており、通常時は遮断弁１６Ａに内蔵した戻しバネで閉弁状態を維持する。
【００２０】
即ち、前述の従来例における気化器１Ｃにおいては、吸気通路４内で発生する空気流による吸引力を燃料の送出力として利用している関係で、エンジン出力をアップさせるためにベンチュリ径を拡大した場合に、ノーチョーク・スロットル全開状態における暖機再始動性の悪化に繋がっていた。
【００２１】
これに対し、本実施の形態の気化器１Ａは、燃料ポンプ３の圧送力が作用している燃料配管６を分岐してなる始動用燃料通路１５Ａを、吸気通路４内まで延設して開口させたことにより、エンジンの暖機再始動時であっても、能動的に追加用燃料を吸気通路４内に噴射することができる。従って、例えベンチュリ径を大きくして吸気通路４内の吸引力が小さくなっても、エンジン始動に要する燃料を容易に供給することが可能となる。
【００２２】
図３は、本発明における第２の実施の形態である気化器１Ｂの縦断面図及び燃料供給系統の簡略化した配置を示している。その基本的構成及び燃料供給系統の基本的配置、さらには遮断弁１６Ｂの動作については前述した気化器１Ａと同様であるが、その始動用燃料通路１５Ｂが、吸気通路４に直接接続されるのではなくメインウェル１３の底部側に接続されている点が異なる。
【００２３】
即ち、吸気通路４の中心軸線に対し直角な面で切断した図４の縦断面図に示すように、燃料配管６から分岐した始動用燃料通路１５Ｂは、フロートチャンバ１０の底面を介してメインウェル１３内のメインジェット１７手前で開口しており、エンジン始動時に燃料配管６からの圧送力が作用している追加用燃料を送出して、メインノズル１４（図のように複数の吸気通路では各メインノズル）内の燃料とともに吸気通路４内に燃料を能動的に噴出させるようになっている。
【００２４】
このような構成の気化器１Ｂは、前述の気化器１Ａと同様にベンチュリ径を拡大しても良好な暖機再始動性を実現することができる。また、これに加えて、本実施の形態の気化器１Ｂの場合は、前述の気化器１Ａの始動用燃料通路１５Ａよりも始動用燃料通路１５Ｂが長くなるものの、気化器の構成自体は大きく変わらないために改造の手間を最小限にして、既存の気化器を殆どそのまま利用することができることから、コスト的に有利なものとなる。
【００２５】
尚、上述の実施の形態においては、その暖機再始動時にける機能及び有用性を中心に説明したが、本発明は暖機再始動性のみならず低温始動性に関しても、始動時に必要とされる燃料を補助的に供給する機能を発揮するため、同様に有用性があることは言うまでもない。
【００２６】
以上、述べたようにエンジンの気化器について、本発明により、ベンチュリ径の確保による高出力化と暖機再始動性とを両立できるようになった。
【図面の簡単な説明】
【００２７】
【図１】本発明における第１の実施の形態を示す縦断面図。
【図２】図１の気化器の左側面図。
【図３】本発明における第２の実施の形態を示す縦断面図。
【図４】図３の気化器を吸気通路の中心軸線に直角な面で切断した場合の縦断面図。
【図５】従来例を示す縦断面図。
【図６】図５とは異なる面で切断した場合の従来例を示す縦断面図。
【符号の説明】
【００２８】
１Ａ，１Ｂ  気化器、３  ポンプ、４  吸気通路、６  燃料配管、１１  定燃料室、１２  柱状体、１３  メインウェル、１４  メインノズル、１５Ａ，１５Ｂ  始動用燃料通路、１６Ａ，１６Ｂ  遮断弁、１７  メインジェット、４０  ベンチュリ部
【図１】
2010043623.tif 000003
【図２】
2010043623.tif 000004
【図３】
2010043623.tif 000005
【図４】
2010043623.tif 000006
【図５】
2010043623.tif 000007
【図６】
2010043623.tif 000008